(57)【要約】      （修正有）【課題】複数のタイプの名札を保持することができる名札留め保持具を提供する。【解決手段】クリップを留めるクリップ保持部１１と、前記クリップ保持部に延設され、安全ピンの針を挿入する針挿入部１２と、前記クリップ保持部に延設され、衣類に縫い付ける縫い付け部１３と、を少なくとも有する。【選択図】図１
0003225106.tif 000002
【実用新案登録請求の範囲】
【請求項１】
クリップを留めるクリップ保持部と、
前記クリップ保持部に延設され、安全ピンの針を挿入する針挿入部と、
前記クリップ保持部に延設され、衣類に縫い付ける縫い付け部と、
を少なくとも有する、名札留め保持具。
【請求項２】
可撓性を有する素材からなる、請求項１に記載の名札留め保持具。
【請求項３】
前記クリップ保持部は、縫い付け時に衣類側となる裏部と、名札側となる表部と、を有し、
前記裏部は、クリップの滑り止めを防止する機構を有する、請求項１又は２に記載の名札留め保持具。
【請求項４】
請求項１〜３のいずれかに記載の名札留め保持具を縫い付けた衣類。
【考案の詳細な説明】
【技術分野】
【０００１】
本考案は、名札留め保持具、及び該名札留め保持具を縫い付けた衣類に関する。より詳しくは、複数のタイプの名札を保持することができる名札留め保持具、及び該名札留め保持を縫い付けた衣類に関する。
【背景技術】
【０００２】
従来、安全ピンタイプの名札留めは、学校、会社等で広く用いられている。また、特許文献１には、クリップタイプの名札留めが開示されている。
【先行技術文献】
【特許文献】
【０００３】
【特許文献１】特開２００５−１８１７８０号公報
【考案の概要】
【考案が解決しようとする課題】
【０００４】
前述した通り、従来の名札留めには複数のタイプがある。しかしながら、これら複数のタイプの名札留めのいずれにも適合する名札留め保持具は未だ知られていない。
【０００５】
このような実情のもと、本考案では、複数のタイプの名札を保持することができる名札留め保持具を提供することを主目的とする。
【課題を解決するための手段】
【０００６】
すなわち、本考案では、まず、クリップを留めるクリップ保持部と、前記クリップ保持部に延設され、安全ピンの針を挿入する針挿入部と、前記クリップ保持部に延設され、衣類に縫い付ける縫い付け部と、を少なくとも有する、名札留め保持具を提供する。
本考案に係る名札留め保持具は、可撓性を有する素材からなるものであってもよい。
また、前記クリップ保持部は、縫い付け時に衣類側となる裏部と、名札側となる表部と、を有し、前記裏部は、クリップの滑り止めを防止する機構を有していてもよい。
【０００７】
また、本考案では、前記名札留め保持具を縫い付けた衣類も提供する。
【０００８】
なお、本考案において、「名札」の概念は、特定の個人の氏名が表示されたもののみならず、社員証、身分証、腕章等の氏名以外のものが表示されたものも含む広い概念である。また、「名札留め」は、前述した名札の一部又は全部を、保持或いは固定するためのものであり、本考案の概念に常に含まれるものではない。
【考案の効果】
【０００９】
本考案によれば、複数のタイプの名札を保持することができる名札留め保持具を提供することができる。
なお、ここに記載された効果は、必ずしも限定されるものではなく、本明細書中に記載されたいずれかの効果であってもよい。
【図面の簡単な説明】
【００１０】
【図１】本考案に係る名札留め保持具１の実施形態の一例を示す六面図である。
【図２】本考案に係る名札留め保持具１の図１とは異なる実施形態の一例を示す六面図である。
【図３】本考案に係る名札留め保持具１の図１及び２とは異なる実施形態の一例を示す六面図である。
【図４】本考案に係る名札留め保持具１の図１〜３とは異なる実施形態の一例を示す六面図である。
【図５】安全ピンタイプの名札留めを取り付けた、本考案に係る衣類Ｃの実施形態の一例を示す図である。
【図６】クリップタイプの名札留めを取り付けた、本考案に係る衣類Ｃの図５とは異なる実施形態の一例を示す図である。
【考案を実施するための形態】
【００１１】
以下、本考案を実施するための好適な形態について図面を参照しながら説明する。
なお、以下に説明する実施形態は、本考案の代表的な実施形態の一例を示したものであり、これにより本考案の範囲が狭く解釈されることはない。
【００１２】
１．名札留め保持具１
本考案に係る名札留め保持具１は、クリップを留めるクリップ保持部１１と、クリップ保持部１１に延設され、安全ピンの針を挿入する針挿入部１２と、クリップ保持部１１に延設され、衣類に縫い付ける縫い付け部１３と、を少なくとも有する。
【００１３】
本考案に係る名札留め保持具１は、クリップ保持部１１及び針挿入部１２を有するため、図５及び６に示すように、クリップタイプの名札留め及び安全ピンタイプの名札留めのいずれも保持することができる。
【００１４】
クリップタイプの名札留めは、特にポケットが無い作業着等の上衣には取り付けることが困難であるため、名札留め保持具１を介して上衣に対して容易に取り付けることができる。
【００１５】
安全ピンタイプの名札留めは、留める際に衣類に穴を開けなければならず、また、その操作においても穴を開ける場所を決めたり、針を外したりする作業が発生するため煩雑である。しかし、名札留め保持具１は、安全ピンの針を挿入するという簡易な操作で安全ピンタイプの名札留めを衣類に保持することができるため、非常に有用である。
【００１６】
本考案に係る名札留め保持具１に用いられる素材は、本考案の効果を損なわない限り、従来公知の素材を１種又は２種以上自由に選択して用いることができる。本考案では、これらの中でも特に、可撓性を有する素材を用いることが好ましい。可撓性を有する素材を用いることで、名札留め保持具１を衣類に縫い付け易くすることができる。
【００１７】
可撓性を有する素材としては、例えば樹脂等であり、樹脂としては、例えばポリウレタン、ポリスチレン、ポリエチレン、ＡＢＳ樹脂、ポリプロピレン、塩化ビニル樹脂、メタクリル樹脂、ポリエチレンテレフタレート、ポリアミド、ポリカーボネート、ポリアセタール、ポリブチレンテレフタレート等が挙げられる。本考案では、これら１種又は２種以上を適宜選択して用いることができる。
【００１８】
（１）クリップ保持部１１
クリップ保持部１１は、クリップ部分を有する名札留めを保持する部位である。
クリップ保持部１１の形態は、クリップを留めることができれば特に限定されないが、例えば図１〜４に示すように板状とすることができ、後述する縫い付け部１３を含めたクリップ保持部１１の形態は、例えば三角形、四角形（正方形、長方形、菱形を含む。）等の他角形や、星形、丸等の板状とすることができる。また、本考案では、図２に示すように前記他角形の角を丸く形成してもよい。
【００１９】
本考案において、クリップ保持部１１は、図２〜４に示すように、縫い付け時に衣類側となる裏部１１１と、名札側となる表部１１２と、を有する構造とすることができる。
【００２０】
この場合、裏部１１２は、クリップの滑り止めを防止する機構を有することが好ましい。該機構を有することで、クリップタイプの名札留めが摺り落ちたりすることを防ぐことができる。
【００２１】
該機構は、クリップがクリップ保持部１１から脱落するのを防ぐことができる機構であれば特に限定されないが、例えば、図２に示すように１又は複数の凸部を裏部１１２に形成したものや、図３に示すように裏部１１２の表面を鑢状に加工したもの、図４に示すように１又は複数の凹凸部を裏部１１２に形成したもの等が挙げられる。
【００２２】
クリップ保持部１１の厚みは特に限定されないが、例えば０．１〜３ｍｍ、好ましくは０．５〜２ｍｍとすることができる。この範囲に厚みを制御することで、名札留め保持具１１を衣類に縫い付け易くすることができる。
【００２３】
（２）針挿入部１２
針挿入部１２は、安全ピン部分を有する名札留めの針を挿入し、保持する部分である。
針挿入部１２の形態は、クリップ保持部１１に延設され、安全ピンの針を挿入することができれば特に限定されないが、例えば図１〜４に示すように針を挿入するための貫通孔を有しており、例えば図１〜４に示すようにクリップ保持部１１の下端を屈曲させ、貫通孔を形成した形状（図１〜４の左側面図及び右側面図参照）や、クリップ保持部１１の下端を凸形状とし、該凸形状の内部に貫通孔を開けた形状等とすることができる。
【００２４】
（３）縫い付け部１３
縫い付け部１３は、衣類に縫い付ける部分である。
縫い付け部１３の形態は、クリップ保持部１１に延設され、衣類に縫い付けることが可能な面積を有していれば特に限定されないが、例えば図１〜４に示すようにクリップ保持部１１の左右端に延設された構造とすることができる。
【００２５】
本考案において、縫い付け部１３と前述したクリップ保持部１１との境界には、図１〜４に示すように溝が形成されていてもよい。この場合、該溝を名札留め保持具１を衣類に縫い付ける際の縫い付け位置の手がかりとして用いることができる。
【００２６】
２．衣類
図５は、安全ピンタイプの名札留めを取り付けた、本考案に係る衣類Ｃの実施形態の一例を示す図であり、図６は、クリップタイプの名札留めを取り付けた、本考案に係る衣類Ｃの図５とは異なる実施形態の一例を示す図である。図５及び６において、前述した名札留め保持具１は衣類Ｃに縫い付けられている。
【００２７】
本考案に係る衣類Ｃは、前述した本考案に係る名札留め保持具１を縫い付けたものであれば、特に限定されない。
【００２８】
衣類Ｃに対して、本考案に係る名札留め保持具１を縫い付ける方法は特に限定されず、従来公知の装置等を用いて行うことができる。縫い付けに使用される糸の素材等も、従来公知のものを用いることができる。衣類Ｃにおける、本考案に係る名札留め保持具１の縫い付け位置も特に限定されず、胸部、袖部等適宜選択して縫い付けることができる。
【００２９】
また、本考案において、衣類Ｃの種類も特に限定されず、例えば作業着、制服、スーツ、下着等が挙げられるが、本考案ではこれに限定されない。
【符号の説明】
【００３０】
１  名札留め保持具
１１  クリップ保持部
１１１  裏部
１１２  表部
１２  針挿入部
１３  縫い付け部
Ｃ  衣類
Ｐ  名札留め
【図１】
0003225106.tif 000003
【図２】
0003225106.tif 000004
【図３】
0003225106.tif 000005
【図４】
0003225106.tif 000006
【図５】
0003225106.tif 000007
【図６】
0003225106.tif 000008
【手続補正書】
【提出日】令和1年11月28日(2019.11.28)
【手続補正１】
【補正対象書類名】実用新案登録請求の範囲
【補正対象項目名】全文
【補正方法】変更
【補正の内容】
【実用新案登録請求の範囲】
【請求項１】
クリップを留めるクリップ保持部と、
前記クリップ保持部に延設され、安全ピンの針を挿入する針挿入部と、
前記クリップ保持部に延設され、衣類に縫い付ける縫い付け部と、
を少なくとも有する、名札留め保持具。
【請求項２】
可撓性を有する素材からなる、請求項１に記載の名札留め保持具。
【請求項３】
前記クリップ保持部は、縫い付け時に衣類側となる裏部と、名札側となる表部と、を有し、
前記裏部は、クリップの滑りを防止する機構を有し、
前記機構は、１若しくは複数の凸部を前記裏部に形成したもの、前記裏部の表面を鑢状に加工したもの、及び、１若しくは複数の凹凸部を前記裏部に形成したもの、からなる群より選ばれるいずれか一つである、請求項１又は２に記載の名札留め保持具。
【請求項４】
請求項１〜３のいずれかに記載の名札留め保持具を縫い付けた衣類。
【手続補正２】
【補正対象書類名】明細書
【補正対象項目名】０００６
【補正方法】変更
【補正の内容】
【０００６】
すなわち、本考案では、まず、クリップを留めるクリップ保持部と、前記クリップ保持部に延設され、安全ピンの針を挿入する針挿入部と、前記クリップ保持部に延設され、衣類に縫い付ける縫い付け部と、を少なくとも有する、名札留め保持具を提供する。
本考案に係る名札留め保持具は、可撓性を有する素材からなるものであってもよい。
また、前記クリップ保持部は、縫い付け時に衣類側となる裏部と、名札側となる表部と、を有し、前記裏部は、クリップの滑りを防止する機構を有していてもよい。
【手続補正３】
【補正対象書類名】明細書
【補正対象項目名】００２０
【補正方法】変更
【補正の内容】
【００２０】
この場合、裏部１１２は、クリップの滑りを防止する機構を有することが好ましい。該機構を有することで、クリップタイプの名札留めが摺り落ちたりすることを防ぐことができる。